(57)【要約】【課題】  パネルに弾性力をもって着脱可能に取り付けられた係合部材をパネルから容易に取り外すことができるようにする。【解決手段】係合部材２の本体部３の上端部には、パネル１の係止部１ｃに係脱可能に係合する第１係合部４を設ける。本体部３の下端部には、第２係合部５を設ける。第２係合部５は、弾性片部５ｂがそれ自体の弾性によって係止部１ｃに係合することにより、係止部１ｃに係脱可能に係合する。本体部３の下端部には、下方に向かって延びる操作部３ｃを設ける。係合部材２をパネル１から取り外す際には、操作部３ｃに指を引っ掛けて本体部３の下端部をパネル１から離間する方向へ移動させる。【選択図】図１
2006175107.tif 000002
【特許請求の範囲】
【請求項１】
上下方向に所定の長さを有する本体部と、この本体部の上端部と下端部とのいずれか一方の端部に設けられ、垂直な壁面に取り付けられる基材の前面部に係脱可能に係合する係合部と、上記本体部の他方の端部を上記基材の前面部に弾性力をもって着脱可能に連結する連結手段とを備えた陳列装置用係合部材において、
上記本体部と上記連結手段との一方に、上記連結手段による上記基材に対する連結を開放するために手動操作される操作部が設けられていることを特徴とする陳列装置用係合部材。
【請求項２】
上記連結手段が上記本体部の上端部と下端部とのいずれか他方の端部に設けられていることを特徴とする請求項１に記載の陳列装置用係合部材。
【請求項３】
上記連結手段が、上記本体部に一体に設けられた弾性片であり、この弾性片がそれ自体の弾性によって上記基材に係脱可能に係合することにより、上記本体部の他方の端部が上記基材に弾性力をもって着脱可能に連結され、上記操作部が上記本体部に一体に設けられていることを特徴とする請求項２に記載の陳列装置用係合部材。
【請求項４】
上記操作部の少なくとも先端部が、上記係合部から上記弾性片へ向かう方向において上記弾性片の上記基材との係合箇所より前方に配置されていることを特徴とする請求項３に記載の陳列装置用係合部材。
【請求項５】
上記連結手段が、上記本体部に上記基材に係合した係合位置と上記基材から離間した解除位置との間を変位可能に設けられた変位部材と、この変位部材を解除位置側から上記係合位置に向かって付勢する付勢手段とを有し、上記変位部材が上記付勢手段の付勢力によって上記基材に係合させられることにより、上記本体部の他方の端部が上記基材に弾性力をもって着脱可能に連結され、上記変位部材に上記操作部が設けられていることを特徴とする請求項２に記載の陳列装置用係合部材。
【請求項６】
上記連結手段が、上記基材に係脱可能に係合する第１連結部材と、この第１連結部材に、上記本体部に対して係合した第１回動位置と上記本体部から離間した第２回動位置との間を回動可能に設けられた第２連結部材と、この第２連結部材を第２回動位置側から第１回動位置に向かって付勢する回動付勢手段とを有し、上記第２連結部材が上記回動付勢手段の付勢力によって上記本体部に係合させられることにより、上記本体部の上記他方の端部が上記基材に弾性力をもって着脱可能に連結され、上記操作部が上記第２連結部材に設けられていることを特徴とする請求項１に記載の陳列装置用係合部材。
【発明の詳細な説明】
【技術分野】
【０００１】
この発明は、衣類等の各種の商品、その他を陳列するための陳列装置に用いられる係合部材に関する。
【背景技術】
【０００２】
一般に、陳列装置は、垂直な壁面に固定されるパネル（基材）と、このパネルの前面に着脱可能に取り付けられる係合部材とを有している。パネルの前面には、多数の係止部が上下に所定の間隔をもって形成されている。一方、係合部材は、上下方向に所定の長さを有する本体部と、この本体部の上端部に設けられ、係止部に係脱可能に係合する係合部と、本体部の下端部に設けられた弾性片とを有している。弾性片は、それ自体の弾性によって係止部に係脱可能に係合する。これにより、係合部材がパネルに弾性力をもって着脱可能に連結されている（特許文献１，２参照）。
【０００３】
【特許文献１】実開昭６０−９７０６４号公報
【特許文献２】特開平７−２５５５７３号公報
【発明の開示】
【発明が解決しようとする課題】
【０００４】
上記従来の係合部材は、弾性片がその弾性力によってパネルに係止されているので、係合部材は弾性片の弾性力に抗して取り外さなければならず、パネルから取り外しにくいという問題があった。
【課題を解決するための手段】
【０００５】
この発明は、上記の問題を解決するために、上下方向に所定の長さを有する本体部と、この本体部の上端部と下端部とのいずれか一方の端部に設けられ、垂直な壁面に取り付けられる基材の前面部に係脱可能に係合する係合部と、上記本体部の他方の端部を上記基材の前面部に弾性力をもって着脱可能に連結する連結手段とを備えた陳列装置用係合部材において、上記本体部と上記連結手段との一方に、上記連結手段による上記基材に対する連結を開放するために手動操作される操作部が設けられていることを特徴としている。
この場合、上記連結手段が上記本体部の上端部と下端部とのいずれか他方の端部に設けられていることが望ましい。
上記連結手段が、上記本体部に一体に設けられた弾性片であり、この弾性片がそれ自体の弾性によって上記基材に係脱可能に係合することにより、上記本体部の他方の端部が上記基材に弾性力をもって着脱可能に連結され、上記操作部が上記本体部に一体に設けられていることが望ましい。
上記操作部の少なくとも先端部が、上記係合部から上記弾性片へ向かう方向において上記弾性片の上記基材との係合箇所より前方に配置されていることが望ましい。
上記連結手段が、上記本体部に上記基材に係合した係合位置と上記基材から離間した解除位置との間を変位可能に設けられた変位部材と、この変位部材を解除位置側から上記係合位置に向かって付勢する付勢手段とを有し、上記変位部材が上記付勢手段の付勢力によって上記基材に係合させられることにより、上記本体部の他方の端部が上記基材に弾性力をもって着脱可能に連結され、上記変位部材に上記操作部が設けられていることが望ましい。
上記連結手段が、上記基材に係脱可能に係合する第１連結部材と、この第１連結部材に、上記本体部に対して係合した第１回動位置と上記本体部から離間した第２回動位置との間を回動可能に設けられた第２連結部材と、この第２連結部材を第２回動位置側から第１回動位置に向かって付勢する回動付勢手段とを有し、上記第２連結部材が上記回動付勢手段の付勢力によって上記本体部に係合させられることにより、上記本体部の上記他方の端部が上記基材に弾性力をもって着脱可能に連結され、上記操作部が上記第２連結部材に設けられていることが望ましい。
【発明の効果】
【０００６】
上記特徴構成を有するこの発明によれば、係合部材を基材から取り外す際には、操作部を手で持つことができるので、係合部材を弾性力に抗して基材から容易に取り外すことができる。
【発明を実施するための最良の形態】
【０００７】
以下、この発明を実施するための最良の形態を、図面を参照して説明する。
図１及び図２は、この発明の第１実施の形態を示す。この実施の形態に係る陳列装置Ａは、パネル（基材）１と係合部材２とを備えている。
【０００８】
パネル１は、アルミニウムの型材によって構成されている。勿論、パネル１は、他の材料、例えばポリエチレン等の合成樹脂製の板材若しくは中空板材、あるいは木製の化粧板等によって構成してもよい。パネル１の背面（図１において右面）１ａは、垂直な壁面（図示せず）に固定されている。パネル１の前面１ｂには、左右方向へ水平に延びる多数の係止部１ｃが形成されている。各係止部１ｃは、上下方向へ一定の間隔毎に配置されている。係止部１ｃの先端部は、下方に向かって略半円状に湾曲させられている。この結果、パネル１の前面１ｂと係止部１ｃとの間には係止凹部１ｄが形成されている。この係止凹部１ｄのパネル１側の下端部は、下方に向かって外部に開放されている。
【０００９】
係合部材２は、本体部３、第１係合部（係合部）４及び第２係合部５を有している。本体部３は、アルミニウム、合成樹脂又は木材等によって平板状に形成されている。本体部３の左右方向及び上下方向の長さは、係合部材２の用途に応じて適宜の長さに決定されている。本体部３の前面３には、支持部材６が設けられている。この支持部材６は、その用途に応じて適宜の形状に形成される。例えば、支持部材６にハンガー（図示せず）が吊り下げられたり、支持部材６が水平な棚板の一端部を支持したりする場合には棒状に形成され、支持部材６自体が棚板である場合には左右方向に延びる平板として形成される。なお、支持部材６は、後述するいずれの実施の形態においても本体部３の前面３ａに設けられているが、この実施の形態以外の実施の形態では図示が省略されている。
【００１０】
第１係合部４は、本体部３の背面３ｂの上端部にパネル１側へ向かって突出するように形成されている。第１係合部４の左右方向の長さは、本体部３の左右方向の長さと同一に設定されているが、本体部３の左右方向の長さより短くしてもよい。その場合には、第１係合部４を複数形成し、各第１係合部４を左右方向へ互いに離間して配置してもよい。第１係合部４の高さは、本体部３がパネル１とほぼ平行になるよう、係合部材１が図１に示す取付位置に位置しているとき、第１係合部４の先端面がパネル１の前面１ｂにほぼ接するように定められている。
【００１１】
第１係合部４の上面のパネル１側の端部には、第１係合部４から上方へ突出し、先端部がパネル１から離間する方向にほぼ直角に屈曲した係合爪部４ａが形成されている。この係合爪部４ａは、本体部３とパネル１との間の距離が下方へ向かうにしたがって増大するように本体部３を適宜の角度だけ図１において右上がりに傾斜させる。そして、その状態を維持しつつ係合部材４全体をパネル１に沿って上方へ平行移動させることにより、係止凹部１ｄ内にその下端開放部から挿入可能であり、係合爪部４ａの先端部が係止凹部１ｄ内に入り込むと、本体部３の下端部がパネル１に接近するように、本体部３が係止凹部１ｄの開放部を中心として回動可能になる（以下、このときの係合部材２の位置を取外し位置という。）。係合部材２を取外し位置から取付位置まで回動させると、係合爪部４ａの先端部が係止部１ｃの係止凹部１ｄに臨む先端部に係合する。係合爪部４ａと係止部１ｃとの係合により、係合部材２の上端部の前方及び下方への移動が阻止される。なお、係合部材２の後方への移動は、第１係合部４がパネル１の前面１ｂに突き当たることによって阻止されている。係合部材２を取付位置から取外し位置まで回動させることによって係合爪部４ａの係止部１ｃに対する係合を解除することができ、さらに係合部材２を下方へ平行移動させることによって係合爪部４ａを係止凹部１ｄから抜き出すことができる。
【００１２】
第２係合部５は、本体部３の背面３ｂの下端部にパネル１側へ向かって突出するように形成されている。第２係合部５の左右方向の長さは、第１係合部４と同様に本体部３の左右方向の長さと同一であってもよく、短くしてもよい。勿論、短くする場合には、複数の第２係合部５を左右方向へ互いに離間して配置してもよい。第２係合部５の高さは、第１係合部４の高さと同一に設定されている。
【００１３】
第１係合部５の先端面（パネル１と対向する面）には、係合凹部５ａが形成されている。この係合凹部５ａは、係合部材２を取付位置に位置させたときに、係止部１ｃ（この係止部１ｃは、第１係合部４の係合爪部４ａが係合している係止部１ｃの下側に隣接している。）全体が係合凹部５ａに嵌り込むようにその形状が定められている。係合凹部５ａの開放側（パネル１側）の端部は、下方に向かって開放されている。
【００１４】
第１係合部５の下側の端部は、係合凹部５ａが第１係合部５の上下方向の中央より下側に配置されることによって薄く形成されており、当該下端部が弾性片部（連結手段）５ｂになっている。この弾性片部５ｂは、係止部１ｃの先端部（下端部）の外面にほぼ沿うように円弧状に形成されている。弾性片部５ｂの基端部の係止部１ｃと対向する面には、溝部５ｃが形成されている。この溝部５ｃが形成されることにより、弾性片部５ｂは、その先端部が係止部１ｃに対して接近離間する方向（この実施の形態の場合、上下方向）へ回動変位するように、弾性変形可能になっている。弾性片部５ｂの先端部には、係止凹部１ｄの内部側へ向かって上方へ突出する突出部５ｄが形成されている。この突出部５ｄは、係合部材２が取付位置に位置しているときには、弾性片部５ｂの弾性力によって係止部１ｃに係合させられている。すなわち、突出部５ｄのパネル１と逆側の側部が、係止部１ｃのパネル１と対向する先端面１ｅに弾性片部５ｂの弾性力によって押圧接触させられている。
【００１５】
係合部材２が取付位置に位置しているときには、係合部材２の上端部の前方（パネル１から離間する方向）への移動が係止部１ｃと第１係合部４との係合によって阻止されるとともに、係合部材２の下端部の前方への移動が係止部１ｃと第２係合部５との係合（係止部１ｃと弾性片部５ｂの突出部５ｄとの係合）によって阻止され、それによって係合部材２の前方への移動が阻止されている。係合部材２の上下方向への移動は、突出部５ｄと係合凹部５ａの上側の側面とによる係止部１ｃの挟持及び／又は突出部５ｄと第１係合部４の係合爪部４ａとによる二つの係止部１ｃ，１ｃの挟持によって阻止されている。さらに、係合部材２の左右方向への移動は、係止部１ｃと突出部５ｄ及び凹部５ｃの側面との間の摩擦抵抗及び／又は係止部１ｃ，１ｃと突出部５ｄ及び係合爪部４ａとの間の摩擦抵抗によって阻止されている。このようにして、係合部材２がパネル１に対して取付位置に取り付けられている。
【００１６】
突出部５ｄが弾性片部５ｂの弾性力によって係止部１ｃの先端部に係合させられているが、係合部材２の下端部に所定の大きさを越える力を前方に向かって作用させることにより、突出部５ｄの係止部１ｃに対する係合を解除させることができる。すなわち、係止部１ｃの先端面１ｅが上方へ向かうにしたがってパネル１に接近するように傾斜しているので、係合部材２の下端部に所定の大きさを越える力を前方に向かって作用させると、突出部５ｄが先端面１ｅによって下方へ押される。この押圧力が弾性片部５ｂの弾性力より大きいと、突出部５ｄが先端面１ｅ上を下方に向かって摺動する。そして、突出部５ｄが先端面１ｅから下方へ離脱することにより、突出部５ｄと先端面１ｅとの係合が解除する。つまり、第２係合部５と係止部１ｃとの係合が解除する。この結果、係合部材２の下端部が前方へ移動可能になる。
【００１７】
本体部３には、その下端面から下方に向かって突出する操作部３ｃが形成されている。この操作部３ｃは、本体部３の下端部を前方に移動させる際に用いられるものであり、操作部３ｃに指先を引っ掛けて前方へ引っ張ることができるようにその長さが設定されている。特に、この実施の形態では、操作部３ｃの先端部（下端部）が、突出部５ｄと係止部１ｃとの係合箇所、つまり突出部５ｄと先端面１ｅとの接触箇所より下方に位置するように操作部３ｃの長さが設定されている。
【００１８】
上記構成の陳列装置Ａにおいて、係合部材２をパネル１に取り付ける場合には、係合部材２を取外し位置に位置しているときの姿勢にし、係合爪部４ａを係止凹部１ｄの開放部と対向させる。そして、係合部材２を上方へ向かって取外し位置まで平行移動させ、係合爪部４ａの先端部を係止凹部１ｄ内に挿入する。その後、係合部材２を取外し位置から取り付け位置まで移動させる。これにより、第１係合部４が係止部１ｃに係合する。係合部材２を取外し位置から取付位置まで回動させる途中には、図２に示すように、突出部５ｄが係止部１ｃの下側の外面に突き当たる。その状態で係合部材２を取付位置側へさらに回動させると、突出部５ｄが係止部１ｃの外面により弾性片部５ｂの弾性力に抗して下方へ移動させられる。突出部５ｄは、係合部材２が取付位置に達する直前に係止部１ｃの外面を乗り越える。すると、突出部５ｄが弾性片部５ｂの弾性力によって上方へ移動させられて係止部１ｃの先端面１ｅに突き当たる。これによって、第２係合部５が係止部１ｃと係合状態になる。第１、第２係合部４，５が係止部１ｃ，１ｃとそれぞれ係合することにより、係合部材２がパネル１に取り付けられる。
【００１９】
係合部材２をパネル１から取り外す場合には、まず係合部材２の下端部を前方へ移動させる。このとき、操作部３ｃに指を引っ掛けることにより、係合部材２の下端部を前方へ容易に移動させることができる。しかも、この実施の形態では、操作部３ｃの先端部が突出部５ｄと係止部１ｃの先端面１ｅとの接触箇所に対し、第１係合部４から第２係合部５へ向かう方向において前方に位置しているので、係合部材２の下端部を前方へより一層容易に移動させることができる。すなわち、係合部材２の下端部を前方へ移動させるということは、概ね第１係合部４を中心として第２係合部５を図１において時計方向へ回動させることであり、第１係合部４が支点、突出部５ｄと先端面１ｅとの接触箇所が作用点となり、操作部３ｃが力点になる。したがって、仮に操作部３ｃが第１係合部４と第２係合部５との間に形成されているものとすると、突出部５ｄを先端面１ｅから離脱させるためには操作部３ｃに大きな力を作用させる必要がある。このため、係合部材２の下端部を前方へ移動させることが困難になる。この点、この実施の形態では、操作部３ｃの先端部が突出部５ｄと係止部１ｃの先端面１ｅとの接触箇所より下方に位置するように、操作部３ｃの長さが設定されているので、操作部３ｃには小さい力を作用させるだけで、突出部５ｄを先端面１ｅから離脱させることができる。したがって、係合部材２の下端部を弾性片部５ｂの弾性力に抗して前方へ容易に移動させることができる。
【００２０】
係合部材２が取外し位置に達するまで係合部材２の下端部を前方へ移動させたら、係合部材２を下方へ平行移動させ、係合爪部４ａを係止凹部１ｄから抜き出す。これによって、係合部材２をパネル１から取り外すことができる。なお、係合部材２が取外し位置に位置しているときには、第２係合部５が係止部１ｃに対して前方に離間しているので、係合部材２を下方へ移動させるときに第２係合部５が係止部１ｃに突き当たることはない。
【００２１】
次に、この発明の他の実施の形態について説明する。なお、以下に述べる実施の形態に関しては、上記実施の形態と異なる構成についてのみ説明することとし、上記実施の形態と同様な構成部分には同一符号を付してその説明を省略する。
【００２２】
図３は、この発明の第２実施の形態を示す。この実施の形態の陳列装置Ｂにおいては、係止部１ｃの上下方向の間隔が上記の実施の形態のそれより短くなっており、第１、第２係合部４，５の間に二つの係止部１ｃが入り込むように、係止部１ｃ，１ｃの間隔が設定されている。また、係合部材２の左右両側部の少なくとも一方には、ロック部材７が着脱可能に取り付けられている。ロック部材７は、係合部材２に取り付けられた状態においては、係合部材２に対して着脱する方向、つまり左右いずれかの方向へは係合部材２に対して移動可能であるが、それ以外の方向へは係合部材２に対して移動不能になっている。ロック部材７は、図４に示すように、平板状をなしており、係合部材２と対向する面には、複数の突起７ａが形成されている。各突起７ａは、ロック部材７が係合部材２に取り付けられたとき、係止部１ｃの先端面１ｅに突き当たるように配置されている。したがって、この陳列装置Ｂにおいては、ロック部材７を係合部材２から取り外さない限り、係合部材２がパネル１から取り外すことができなくなっている。
【００２３】
図５は、この発明の第３実施の形態を示す。この実施の形態の陳列装置Ｃにおいては、係合凹部５ａの下側の略半分に臨む本体部３の下端部は、薄い板状に形成されている。そして、この板状の部分が弾性片部５ｂになっている。したがって、この実施の形態の弾性片部５ｂは、上記図１及び図２に示す実施の形態の弾性片部５ｂより長さが長くなっている。その結果、弾性片部５ｂは、溝部５ｃが形成されていないにも拘わらず弾性を有している。弾性片部５ｂの先端部には、突出部５ｄに変わる略半円状の湾曲部５ｅが形成されている。この湾曲部５ｅが弾性片部５ｂの弾性力によって先端面１ｅに突き当たるようになっている。また、係合凹部５ａの上下方向の幅が係止部１ｃの上下方向の幅より広くなっており、係合部材２が取付位置に位置したときに係合凹部５ａの上側の半部の内面が係止部１ｃから離間するようになっている。したがって、この実施の形態の陳列装置Ｃでは、係合爪部４ａと弾性片部５ｂとが、二つの係止部１ｃ，１ｃを挟持することになる。操作部３ｃは、弾性片部５ｂの基端部から分岐して下方に延びている。つまり、操作部３ｃと弾性片部５ｂとが、互いの基端部を共有しているのである。
【００２４】
図６は、この発明の第４実施の形態を示す。この実施の形態の陳列装置Ｄは、図５に示す陳列装置Ｃを変形したものである。この陳列装置Ｄにおいては、操作部３ｃが弾性片部５ｂの中間部に一体に形成されており、弾性片部５ｂの中間部から下方に延びている。
【００２５】
図７は、この発明の第５実施の形態を示す。この実施の形態の陳列装置Ｅは、図５に示す陳列装置Ｃを変形したものである。この陳列装置Ｅにおいては、操作部３ｃが湾曲部５ｅの先端部に一体に形成されており、湾曲部５ｅの先端部から下方に延びている。
【００２６】
図８は、この発明の第６実施の形態を示す。この実施の形態の陳列装置Ｆは、図３に示す陳列装置Ｂを変形したものであり、ロック部材７を有していない点及び第２係合部５に代えて連結機構８が設けられている点において陳列装置Ｂと相違している。
【００２７】
連結機構８は、回動部材（変位部材）８１を有している。この回動部材８１の中間部は、本体部３の下端部に左右方向へ水平に延びる軸８２を介して回動可能に連結されている。回動部材８１は、図８（Ａ）に示す係合位置と、図８（Ｂ）に示す解除位置との間を回動可能であり、ばね（付勢手段）８３によって解除位置から係合位置へ向かう方向へ回動付勢されている。回動部材８１が係合位置に位置すると、回動部材８１の下端部に形成された当接面８１ａが係止部１ｃの先端面１ｅにばね８３の付勢力によって押圧接触させられる。つまり、回動部材８１がばね８３によって係止部１ｃに係合させられているのである。回動部材８１が係止部１ｃに係合しているときには、第１係合部４の係合爪部４ａと回動部材８１とが二つの係止部１ｃ，１ｃを挟持している。
【００２８】
回動部材８１の上端部には、上方に向かって延びる操作部８１ｂが設けられている。この操作部８１ｂをパネル１側へ向かって押すと、回動部材８１がばね８３の付勢力に抗して係合位置から解除位置へ向かって回動する。回動部材８１が解除位置に位置しているときには、当接面８１ａが係止部１ｃの先端面１ｅから離間し、回動部材８１と係止部１ｃとの間の係合状態が解除される。
【００２９】
上記構成の陳列装置Ｆにおいて、本体部３、第１係合部４及び連結機構８を有する係合部材２をパネル１に取り付ける場合には、上記の実施の形態と同様にして、まず係合部材２を取外し位置に位置させる。このとき、回動部材８１は、ばね８３によって解除位置側から係合位置側へ向かって回動付勢されているが、回動部材８１の上端部が本体部３の下端部に突き当たることにより、係合位置と同一位置か係合位置を若干越えた位置に停止させられている。本体部３を取外し位置から取付位置側へ向かって回動させると、回動途中に回動部材８１の下端部が係止部１ｃの外面に突き当たる。その後、係合部材２をさらに取付位置側へ回動させると、回動部材８１が係止部１ｃの外面によりばね８３の付勢力に抗して係合位置側から解除位置側へ回動させられる。係合部材２が取付位置に達すると、回動部材８１がばね８１によって係合位置まで回動させられ、当接面８１ａが先端面１ｅに押圧接触されられる。この結果、係合部材２がパネル１に取り付けられる。
【００３０】
係合部材２がパネル１に取り付けられた状態において、操作部８１ｂをパネル１側へ向かって押すと、回動部材８１がばね８３の付勢力に抗して係合位置から解除位置へ回動し、回動部材８１と係止部１ｃとの係合が解除される。その結果、係合部材２が取付位置から取外し位置まで回動可能になる。その後は、上記実施の形態と同様にして係合部材２をパネル１から取り外すことができる。
【００３１】
図９は、この発明の第７実施の形態を示す。この実施の形態の陳列装置Ｆ′は、陳列装置Ｆを変形したものであり、連結機構８の回動部材８１に代えて回動部材８１′が用いられている。この回動部材８１′においては、その下端部に下方に延びる操作部８１ｃが形成されている。操作部８１ｃの上下方向の長さは、当接面８１ａと先端面１ｅとの接触箇所と軸８２の中心との間の距離より長くなっている。これにより、回動部材８１を容易に回動させることができ、係合部材２をパネル１から容易に取り外すことができるようになっている。その他の構成は、上記陳列装置Ｆと同様である。
【００３２】
図１０は、この発明の第８実施の形態を示す。この実施の形態の陳列装置Ｇは、陳列装置Ｆを変形したものであり、陳列装置Ｆの連結機構８に代えて連結機構９が用いられている。連結機構９は、可動部材（変位部材）９１を有している。この可動部材９１は、本体部３の下端部に、図１０（Ａ）に示す係合位置と、図１０（Ｂ）に示す解除位置との間を移動可能に設けられている。可動部材９１は、ばね（付勢手段）９２によって解除位置側から係合位置側へ向かって付勢されている。可動部材９１が係合位置に位置しているときには、可動部材９１に形成された当接面９１ａが係止部１ｃの先端面１ｅにばね９２の付勢力によって押圧接触させられている。つまり、可動部材９１が係止部１ｃに係合させられているのである。可動部材９１が係止部１ｃに係合しているときには、可動部材９１と第１係合部４の係合爪部４ａとが二つの係止部１ｃ，１ｃを挟持している。係合位置に位置している可動部材９１をばね９２の付勢力に抗して解除位置側へ向かって（下方へ向かって）移動させると、当接面９１ａが先端面１ｅから下方へ離間する。この結果、係合部材２が取付位置から取外し位置まで回動可能になる。可動部材９１の下端部には、前方に向かって突出する操作部９１ｂが形成されている。この操作部９１ｂを指で下方へ押すことにより、可動部材９１をばね９２の付勢力に抗して係合位置から解除位置まで移動させることができる。
【００３３】
上記構成の陳列装置Ｇにおいて、本体部３、第１係合部４及び連結機構９を備えた係合部材２をパネル１に取り付ける場合には、上記の実施の形態と同様にして係合部材２を取外し位置に位置させる。このとき、可動部材９１は、ばね９２によって解除位置側から係合位置側へ向かう方向へ付勢されているが、本体部３の下端部に突き当たることにより、係合位置又は係合位置を若干越えた位置に位置している。係合部材２を取外し位置から取付位置側へ回動させると、その途中に可動部材９１が係止部１ｃの外面に突き当たる。それにより、可動部材９１が係合部材２の回動に伴って係合位置側から解除位置側へ移動させられる。係合部材２が取付位置に達すると、可動部材９１がばね９２によって係合位置まで移動させられ、当接面９１ａが先端面１ｅに押圧接触させられる。これにより、係合部材２がパネル１に取り付けられる。可動部材９１を係合位置から解除位置まで移動させて、当接面９１ａを先端部１ｅから下方へ離間させると、係合部材２が取付位置から取外し位置側へ回動可能になる。したがって、係合部材２をパネル１から取り外すことができる。
【００３４】
図１１は、この発明の第９実施の形態を示す。この実施の形態の陳列装置Ｈにおいては、係合部材２が上記連結機構８，９に代わる連結機構１０を有している。連結機構１０は、第１連結部材１０１、第２連結部材１０２及びばね（回動付勢手段）１０３を主な構成要素としている。
【００３５】
第１連結部材１０１は、係合爪部４ａの下端部を下方に所定の長さだけ延長したような形状をしている。したがって、第１連結部材１０１の上端部を係合爪部４ａと同様にして係止部１ｃに係合させることができる。第１連結部材１０１が係止部１ｃに係合した状態では、第１連結部材１０１の下端部がパネル１に少なくとも前後方向及び下方へほとんど移動不能に連結される。
【００３６】
第２連結部材１０２は、その一端部が第１連結部材１０１の下端部に左右方向へ水平に延びる軸１０４を介して回動可能に連結されている。第２連結部材１０２は、図１１（Ａ）に示す係合位置と、図１１（Ｂ）に示す解除位置との間を回動可能になっている。第２連結部材１０２は、ばね１０３により解除位置側から係合位置側へ向かって回動付勢されている。第２連結部材１０２の下端部には、下方に突出する操作部１０２ａが形成されている。この操作部１０２ａをパネル１側へ向かって押すと、第２連結部材１０２がばね１０３の付勢力に抗して係合位置から解除位置側へ向かって回動する。
【００３７】
第２連結部材１０２を係合位置に位置させると、第２連結部材１０２の中間部に形成された当接面１０２ｂが本体部３の下端部に形成された当接面３ｄに突き当たり、本体部３の下端部をばね１０３の付勢力によって第１連結部材１０１に押し付ける。この結果、本体部３の下端部が第１連結部材１０１を介して係止部１ｃに係合し、パネル１に少なくとも前後方向及び下方へほとんど移動不能に連結される。操作部１０２ａをパネル１側へ押して第２連結部材１０２を係合位置から解除位置まで回動させると、当接面１０２ｂが本体部３の当接面３ｄから離間し、本体部３の下端部が前方へ移動可能になり、本体部３が取付位置から取外し位置まで回動可能になる。なお、本体部３の取付位置及び取外し位置は、前述した各実施の形態の係合部材２が取付位置及び取外し位置に位置したときの当該係合部材２の本体部２の各位置と同一位置である。
【００３８】
上記構成の陳列装置Ｈにおいて、係合部材２をパネル１に取り付ける場合には、本体部３を取外し位置に位置させる一方、第１連結部材１０１を係止部１ｃに係合させる。このとき、第２連結部材１０２は、ばね１０３によって解除位置側から係合位置側へ向かって付勢されているが、第１連結部材１０１と第２連結部材１０２との間に設けられたストッパ機構（図示せず）によって係合位置又は係合位置を若干越えた位置に位置させられている。本体部３を取り外し位置から取付位置側へ向かって回動させると、回動途中に本体部３の下端面に形成された傾斜面３ｅが第２係合部材１０２に突き当たり、第２係合部材１０２を解除位置側へ回動させる。本体部３が取付位置に回動すると、本体部３の下端部が第１連結部材１０１に突き当たるとともに、第１連結部材１０２がばねによって解除位置側から係合位置まで回動させられ、その当接面１０２ｂが本体部３の当接面３ｄに突き当たり、本体部３の下端部を第１連結部材１０１に押し付ける。これにより、係合部材２がパネル１に取り付けられる。
【００３９】
係合部材２をパネル１から取り外す場合には、操作部１０２ａをパネル１側へ押し、第２連結部材１０２を係合位置から解除位置まで回動させる。その後、本体部３を取付位置から取外し位置まで回動させる。そして、本体部３を下方へ移動させてパネル１から取り外す。同様に、第１連結部材１０１を下方へ移動させてパネル１から取り外す。これにより、係合部材２全体がパネル１から取り外される。
【００４０】
なお、この発明は、上記の実施の形態に限定されるものでなく、その要旨を逸脱しない範囲において適宜変更可能である。
例えば、上記の実施の形態においては、係止部１ｃの先端部を下方に向かって半円状に湾曲するように形成しているが、上方に向かって半円状に湾曲させてもよい。その場合には、係合部材２を上下逆向きにして用いることにより、パネル１に着脱可能に取り付けることができる。
【図面の簡単な説明】
【００４１】
【図１】この発明の第１実施の形態を、係合部材が取付位置に位置しているときの状態で示す側面図である。
【図２】同実施の形態を、突出部が係止部に突き当たった状態で示す側面図である。
【図３】この発明の第２実施の形態を示す側面図である。
【図４】同実施の形態において用いられているロック部材を示す図であって、図４（Ａ）はその正面図、図４（Ｂ）はその背面図、図４（Ｃ）は図４（Ａ）のＣ矢視図である。
【図５】この発明の第３実施の形態を示す側面図である。
【図６】この発明の第４実施の形態を示す側面図である。
【図７】この発明の第５実施の形態を示す側面図である。
【図８】この発明の第６実施の形態を示す図であって、図８（Ａ）は回動部材を係合位置に回動させた状態で示す側面図、図８（Ｂ）は回動部材を解除位置に回動させた状態Ｄで示す側面図である。
【図９】この発明の第７実施の形態を示す図であって、図９（Ａ）は回動部材を係合位置に回動させた状態で示す側面図、図９（Ｂ）は回動部材を解除位置に回動させた状態で示す側面図である。
【図１０】この発明の第８実施の形態を示す図であって、図１０（Ａ）は可動部材を係合位置に移動させた状態で示す側面図、図１０（Ｂ）は可動部材を解除位置に移動させた状態で示す側面図である。
【図１１】この発明の第９実施の形態を示す図であって、図１１（Ａ）は第２連結部材を係合位置に回動させた状態で示す側面図、図１１（Ｂ）は第２連結部材を解除位置に回動させた状態で示す側面図である。
【符号の説明】
【００４２】
Ａ，Ｂ，Ｃ，Ｄ，Ｅ，Ｆ，Ｆ′  Ｇ，Ｈ  陳列装置
１  パネル（基材）
１ｂ  前面
１ｃ  係止部
１ｅ  先端面
２  係合部材
３  本体部
３ｃ  操作部
３ｄ  当接面
４  第１係合部（係合部）
５ｂ  弾性片部（連結手段）
５ｄ  突出部
８  連結機構（連結手段）
９  連結機構（連結手段）
１０  連結機構（連結手段）
８１  回動部材（変位部材）
８１′  回動部材
８１ａ  当接面
８１ｂ  操作部
８１ｃ  操作部
８３  ばね（付勢手段）
９１  可動部材（変位部材）
９１ａ  当接面
９１ｂ  操作部
９２  ばね（付勢手段）
１０１  第１連結部材
１０２  第２連結部材
１０２ａ  操作部
１０２ｂ  当接面
１０３  ばね（回動付勢手段）
【図１】
2006175107.tif 000003
【図２】
2006175107.tif 000004
【図３】
2006175107.tif 000005
【図４】
2006175107.tif 000006
【図５】
2006175107.tif 000007
【図６】
2006175107.tif 000008
【図７】
2006175107.tif 000009
【図８】
2006175107.tif 000010
【図９】
2006175107.tif 000011
【図１０】
2006175107.tif 000012
【図１１】
2006175107.tif 000013